(57)【要約】【課題】大幅な工程およびコストの削減を図ることができる独立基礎の構築工法を提供することである。【解決手段】独立基礎の構築工法は、ベース筋４および基礎柱筋５を配筋した根切底３にベースコンクリート６を打設し、該ベースコンクリート６上に柱型枠７を基礎柱筋５が内側に挿入するように設置した後、根切りを埋戻して柱型枠７にコンクリート１１を打設し、該コンクリート１１が硬化する前に柱型枠７を吊り上げて基礎柱筋５から引き抜いた後、コンクリート１１の天端面にトップ型枠１３を設置し、該トップ型枠１３にコンクリート１１を打設する構成である。【選択図】    図１
2005002708.tif 000002
【特許請求の範囲】
【請求項１】
ベース筋および基礎柱筋を配筋した根切底にベースコンクリートを打設し、該ベースコンクリート上に柱型枠を基礎柱筋が内側に挿入するように設置した後、根切りを埋戻して柱型枠にコンクリートを打設し、該コンクリートが硬化する前に柱型枠を吊り上げて基礎柱筋から引き抜いた後、コンクリートの天端面にトップ型枠を設置し、該トップ型枠にコンクリートを打設することを特徴とする独立基礎の構築工法。
【請求項２】
筒状に一体形成された型枠本体の内面に上端から下端にかけて補強リブが突出され、この補強リブの上下出隅部が外側から内側にかけて下側に傾斜したことを特徴とする型枠。
【請求項３】
型枠本体の側面に基礎梁用の開口部が形成され、該開口部の両側に側板が形成されたことを特徴とする請求項２に記載の型枠。
【発明の詳細な説明】
【０００１】
【発明の属する技術分野】
本発明は独立基礎の構築工法および型枠に関するものである。
【０００２】
【従来の技術】
独立基礎の構築工法としては、例えば特開平８−９３２１８号の発明がある。また、この発明の他にも図１５に示すような工法がある。この工法は、また同図の（１）に示すような根切り１７、床付け、捨てコンクリートの打設１８を一日目に、また同図の（２）および（３）に示すような墨出し、ベース筋および基礎柱筋の配筋１９、ベースコンクリートの打設２０を二日目に、また同図の（４）〜（８）に示すような墨出し２１、柱型枠の建て込み２２、型枠へのコンクリートの打設２３、コンクリートの養生（脱型強度が発現されるまで約三日間）、脱型２４および埋戻し２５を三日目にそれぞれ行っていた。そして、同図の（９）に示すような独立基礎２６を構築していた。
【０００３】
【特許文献１】
特開平８−９３２１８号公報（図１）
【０００４】
【発明が解決しようとする課題】
しかし、上記の独立基礎の構築工法においては、根切りの端部から柱までの距離が大きい場合が多く、生コン車からのコンクリートの直取りは不可能となることもあり、コンクリート圧送のためのポンプ車による打設、またはクレーンなどによるホッパー打設となる。このような打設は複数の根切りごと、すなわちまとめて行うため、時間をおくことで根切面が崩壊するという危険がより高くなった。
また、柱の高さによっては打設するための足場が必要となるため、根切りを埋戻す前に解体しなければならなかった。
【０００５】
本発明はこれらの問題に鑑みてなされたものであり、その目的は、大幅な工程およびコストの削減を図ることができる独立基礎の構築工法および型枠を提供することである。
【０００６】
【課題を解決するための手段】
以上の課題を解決するための独立基礎の構築工法は、ベース筋および基礎柱筋を配筋した根切底にベースコンクリートを打設し、該ベースコンクリート上に柱型枠を基礎柱筋が内側に挿入するように設置した後、根切りを埋戻して柱型枠にコンクリートを打設し、該コンクリートが硬化する前に柱型枠を吊り上げて基礎柱筋から引き抜いた後、コンクリートの天端面にトップ型枠を設置し、該トップ型枠にコンクリートを打設することを特徴とする。
【０００７】
また型枠は、筒状に一体形成された型枠本体の内面に上端から下端にかけて補強リブが突出され、この補強リブの上下出隅部が外側から内側にかけて下側に傾斜したことを特徴とする。また型枠本体の側面に基礎梁用の開口部が形成され、該開口部の両側に側板が形成されたことを含むものである。
【０００８】
根切りから埋戻しまでの期間が短いので、工期を大幅に短縮することができる。根切りの埋戻し後に柱型枠へのコンクリート打設をするため、根切りの崩壊の危険が大幅に削減される。また地組した基礎柱筋を配筋すると、例え柱が長くても高所作業がないので安全である。またコンクリートの固まる前に、柱型枠を吊り上げて基礎鉄筋から引き抜くことと、再度の締め固めを行うこととから土中湿潤養成が保てるので、コンクリートの品質においても有効である。
【０００９】
また補強リブは、柱型枠を補強するとともに、帯筋のかぶり厚を確保するためのスペーサでもあり、かつ基礎柱筋を柱型枠に吊り込み易くするためのガイドおよび、柱型枠に基礎柱筋を固定するための固定片でもある。また補強リブの上下出隅部が外側から内側にかけて下側に傾斜して形成されたことにより、柱型枠の吊り込みおよび吊り上げ時に基礎柱筋に引っ掛かり難くなって、該基礎柱筋を柱型枠内に入れ易くなっている。
【００１０】
型枠本体の側面に基礎梁用の開口部が形成され、該開口部の両側に側板が形成されたことにより、独立基礎とともに基礎梁も構築することができる。
【００１１】
【発明の実施の形態】
以下、本願発明の独立基礎の構築工法および型枠の実施の形態を図面に基づいて詳細に説明する。
【００１２】
はじめに、図１に示すように、バックホウ１などで地盤２を掘削して、独立基礎の構築箇所に根切りをおこなう。この根切りは敷地の端から順に行うものであり、図２に示すように、根切りした箇所から墨出しをおこなう。
【００１３】
次に、図３に示すように、墨出しをした根切底３にベース筋４を配筋するととともに、このベース筋４に基礎柱筋５を配筋する。そして、図４に示すように、このベース筋４および基礎柱筋５を配筋した根切底３にベースコンクリート６を打設する。以上のような図１〜図４までの工程は、従来の独立基礎の構築工法と同じ工程である。
【００１４】
次に、図５に示すように、柱型枠７をクレーンで吊り上げて、基礎柱筋５を内側に挿入するように吊り込んで、ベースコンクリート６上に設置する。この柱型枠７は、ベースコンクリート６上に設置した状態で、その上面が地面と面一か、あるいは地面からわずかに突出した高さである。
【００１５】
また柱型枠７は、図６に示すように、メタルで筒状に一体形成されたものであり、内面の上端から下端にかけて補強リブ８が突出され、この補強リブ８の上下出隅部が外側から内側にかけて下側に傾斜して形成されて、吊り込みおよび吊り上げ時に基礎柱筋５に引っ掛かり難くなって、該基礎柱筋５を柱型枠７内に入れ易くなっている。
【００１６】
この補強リブ８は、柱型枠７の補強の他に、図７に示すように、帯筋９のかぶり厚を確保するためのスペーサでもあり、かつ基礎柱筋５を柱型枠７に吊り込み易くするためのガイドおよび、柱型枠７に基礎柱筋５を固定するための固定片でもある。
【００１７】
次に、図８に示すように、バックホウ１などで埋戻しをおこなうが、転圧しすぎて柱型枠７を押し出さないように注意する。そして、この埋戻し後に、柱型枠７に生コン車１０を直付けしてコンクリート１１の打設をおこなう。このときには型枠周りの埋戻しが完了しているため、生コンクリートの直取りが可能になる。
【００１８】
そして、このコンクリート１１が硬化する前に、クレーンで柱型枠７を吊り上げて基礎鉄筋５から引き抜くが、この引き抜きによってコンクリート１１と埋戻土１２との間に柱型枠７の厚さ分の隙間ができるため、これをバイブレーターでコンクリート１１に振動を与えて埋める。この際、土圧よりコンクリート１１の側圧の方が大きいため、コンクリート１１が土に押されることはない。
【００１９】
このバイブレーターによる隙間の充填後、コンクリート１１が埋戻土１２の上面からわずかに下がった状態になるため、図１１に示すように、その天端面にトップ型枠１３を設置し、これにトップコンクリート１４を打設する。そして、このトップ型枠１３をコンクリート１１の脱型強度の発現後に解体すると、図１２に示すような、独立基礎１５が構築される。
【００２０】
また、図１３及び図１４は、独立基礎とともに基礎梁も形成する柱型枠１６であり、側面に基礎梁用の開口部１６ａが形成され、該開口部１６ａの両側に側板１６ｂが形成された以外は、上記の柱型枠７と同じ構成である。
【００２１】
【発明の効果】
根切りから埋戻しまでの期間が短いので、工期を大幅に短縮することができる。
【００２２】
根切りの埋戻し後に柱型枠へのコンクリート打設をするため、根切りの崩壊の危険が大幅に削減される。
【００２３】
地組した基礎柱筋を配筋すると、例え柱が長くても高所作業がないので安全である。
【００２４】
コンクリートの固まる前に、柱型枠を吊り上げて基礎鉄筋から引き抜くことと、再度の締め固めを行うこととから土中湿潤養成が保てるので、コンクリートの品質においても有効である。
【００２５】
補強リブは、柱型枠を補強するとともに、帯筋のかぶり厚を確保するためのスペーサでもあり、かつ基礎柱筋を柱型枠に吊り込み易くするためのガイドおよび、柱型枠に基礎柱筋を固定するための固定片でもある。
【００２６】
補強リブの上下出隅部が外側から内側にかけて下側に傾斜して形成されたことにより、柱型枠の吊り込みおよび吊り上げ時に基礎柱筋に引っ掛かり難くなって、該基礎柱筋を柱型枠内に入れ易くなっている。
【００２７】
型枠本体の側面に基礎梁用の開口部が形成され、該開口部の両側に側板が形成されたことにより、独立基礎とともに基礎梁も構築することができる。
【図面の簡単な説明】
【図１】根切りの断面図である。
【図２】根切底に墨出しを行う断面図である。
【図３】ベース筋および基礎柱筋を配筋した断面図である。
【図４】ベースコンクリートを打設した断面図である。
【図５】柱型枠を吊り込んだ断面図である。
【図６】柱型枠の断面図である。
【図７】柱型枠の断面図である。
【図８】埋戻しをした断面図である。
【図９】柱型枠へコンクリートを打設する断面図である。
【図１０】柱型枠を吊り上げて基礎鉄筋から引き抜く断面図である。
【図１１】トップコンクリートを打設する断面図である。
【図１２】完成した独立基礎の断面図である。
【図１３】柱型枠の断面図である。
【図１４】柱型枠の断面図である。
【図１５】（１）〜（９）は従来の独立基礎の構築工法の断面図である。
【符号の説明】
１  バックホウ
２  地盤
３  根切底
４  ベース筋
５  基礎鉄筋
６  ベースコンクリート
７、１６  柱型枠
８  補強リブ
９  帯筋
１０  生コン車
１１  コンクリート
１２  埋戻土
１３  トップ型枠
１４  トップコンクリート
１５  独立基礎
１６ａ  開口部
１６ｂ  側板
１７  根切り
１８  捨てコンクリート打設
１９  配筋
２０  ベースコンクリート打設
２１  墨出し
２２  柱型枠の建て込み
２３  コンクリート打設
２４  脱型
２５  埋戻し
２６  独立基礎
【図１】
2005002708.tif 000003
【図２】
2005002708.tif 000004
【図３】
2005002708.tif 000005
【図４】
2005002708.tif 000006
【図５】
2005002708.tif 000007
【図６】
2005002708.tif 000008
【図７】
2005002708.tif 000009
【図８】
2005002708.tif 000010
【図９】
2005002708.tif 000011
【図１０】
2005002708.tif 000012
【図１１】
2005002708.tif 000013
【図１２】
2005002708.tif 000014
【図１３】
2005002708.tif 000015
【図１４】
2005002708.tif 000016
【図１５】
2005002708.tif 000017